(57)【要約】      （修正有）【課題】交換が容易であると共に、外見で劣化（破損）を発見しやすい防虫網及び該防虫網を備えた配管を提供する。【解決手段】防虫網１は、防虫網本体２と、該防虫網本体２の開口部の縁部に沿って設けられた紐通し形状の緊縛部材挿通部４と、該挿通部４に挿通された緊縛部材５とを有する。防虫網本体２は、袋状であり、一部が開放して開口部となっている。防虫網１を配管６の開放端に被せ、緊縛部材５で開口部の縁部を締め付けて防虫網１を配管６に固定する。これにより、防虫網１が配管６に堅固に緊縛され、配管６から外れることが防止される。【選択図】図３
0003222592.tif 000002
【実用新案登録請求の範囲】
【請求項１】
開口部を有し、該開口部を通して内部に配管の一端が挿入される袋状の防虫網本体と、
該開口部を配管に固定するための、線状体よりなる緊縛部材と
を有する防虫網。
【請求項２】
前記開口部の縁部に前記緊縛部材の挿通部が設けられており、
前記緊縛部材が該挿通部に挿通されていることを特徴とする請求項１に記載の防虫網。
【請求項３】
前記挿通部は、前記開口部の縁部に沿う紐通し形状に設けられていることを特徴とする請求項２に記載の防虫網。
【請求項４】
請求項１〜３のいずれか１項に記載の防虫網が開放口に装着されている配管。
【考案の詳細な説明】
【技術分野】
【０００１】
本考案は、防虫網及びこの防虫網を備えた配管に関する。
【背景技術】
【０００２】
受水槽の通気管の出口側には、防虫を目的としてネットが取付けられている。このネットは経年劣化により穴が開くなど破損することがある。このネットの交換は容易ではない。ネットが破損した場合、通気管の出口外側に簡易的に網を取付ける等の対策を施すことがあり、網の固定には針金やガムテープなどが使用されるのが通常である。
【０００３】
また、受水槽のオーバーフロー管出口側には特に防虫目的の部材が取り付けてなかったり、あるいはスリット状の金具がはめ込まれていることもあるが、金具の開口面積が大きいため、いずれの場合も昆虫類が侵入する可能性がある。この場合も防虫目的で網を取付けるなどの対策が取られる。
【０００４】
特許文献１には、内周面に雌螺子を有した短い円筒状の環状体に網を張設し、この環状体をパイプ末端外周面の雄螺子にねじ込んで防虫網をパイプに取り付けることが記載されている。
【０００５】
特許文献２には、防虫網を張設したリング状枠をパイプ末端に外嵌させ、該リング状枠をボルトでパイプ末端に固定することが記載されている。
【先行技術文献】
【特許文献】
【０００６】
【特許文献１】特開平８−２３２３０５号公報
【特許文献２】特開２００２−３３７９８５号公報
【考案の概要】
【考案が解決しようとする課題】
【０００７】
受水槽の通気管は槽の上部に取付けられ、一般的な構造としては雨水を侵入させないための傘と防虫用ネットから構成される。通常、通気管の取付け場所は高所となるため、この防虫用ネットが破損してもすぐに目視できないことから気付かれないことが多い。また簡易的に取付けた網が破損した場合も同様である。そのためネットや網の破損は、受水槽の水質検査時に初めて発見されることが多い。
【０００８】
ビル管理会社やメンテナンス会社などが定期検査等でネットの破損を発見し防虫網を取付ける場合もあるが、その都度管のサイズに合わせて網を裁断し、針金やガムテープ等で固定するなどなどの作業が必要となり手間がかかる。
【０００９】
取付けたとしても、破損した場合にその状態がわかり難く、見過ごされやすい。
【００１０】
本考案は、交換が容易な防虫網を提供することを目的とする。また、本考案は、外見で劣化（破損）を発見しやすい防虫網及び該防虫網を備えた配管を提供することを目的とする。
【課題を解決するための手段】
【００１１】
本考案の防虫網は、開口部を有し、該開口部を通して内部に配管の一端が挿入される袋状の防虫網本体と、該開口部を配管に固定するための、線状体よりなる緊縛部材とを有する。
【００１２】
本考案の一態様では、前記開口部の縁部に前記緊縛部材の挿通部が設けられており、前記緊縛部材が該挿通部に挿通されている。
【００１３】
本考案の一態様では、前記挿通部は、前記開口部の縁部に沿う紐通し形状に設けられている。
【００１４】
本考案の配管は、かかる本考案の防虫網が開放口に装着されている。
【考案の効果】
【００１５】
本考案によると、配管の開放端に防虫網本体を被せ、防虫網本体の開口部を緊縛部材で配管に緊縛することにより、防虫網を配管に簡単に装着することができる。そのため、作業時間は大幅に短縮され、作業安全性も高い。
【００１６】
配管に固定された防虫網は、外れにくいため、長期間の防虫効果が期待できる。これにより防虫網に関する不適合件数の低減が期待できる。
【００１７】
本考案によると、防虫対策がなされた受水槽から清潔な水を供給することができるため、簡易専用水道検査判定への適合や居住者への安心を提供できる。
【図面の簡単な説明】
【００１８】
【図１】実施の形態に係る防虫網本体の側面図である。
【図２】実施の形態に係る防虫網の側面図である。
【図３】実施の形態に係る防虫網の配管への装着状態を示す断面図である。
【考案を実施するための形態】
【００１９】
以下、図１〜３を参照して本考案の実施の形態に係る防虫網及び配管について説明する。
【００２０】
図１，２の通り、防虫網１は、防虫網本体２と、該防虫網本体２の開口部３の縁部に沿って設けられた紐通し形状の緊縛部材挿通部４と、該挿通部４に挿通された緊縛部材５とを有する。防虫網本体２は、袋状であり、一部が開放して前記開口部３となっている。
【００２１】
袋状とは、一枚の平たい網よりなる状態ではなく、縫製や接着、溶着等により袋状に加工されている形態を表わす。
【００２２】
防虫網本体２は、変形加工可能な材料、例えばポリエチレン、ポリプロピレン、ポリエステルのような合成樹脂材料、ガラス繊維のような無機材料、ステンレス、鉄、銅のような金属材料、あるいはゴミとして容易に処分できる材料（例えば不織布等）からなる。合成樹脂の場合、忌避剤や紫外線吸収剤を含有しても良い。
【００２３】
忌避剤とは、主に昆虫類を寄せ付けない作用を有する薬剤、紫外線吸収剤は太陽光に含まれる紫外線による材料の劣化を防止する薬剤（ラジカル捕捉剤等）である。
【００２４】
網の孔径は、小さい虫が混入しない程度のもので、通気管では通気性のあるもの、通水管では通水性のあることが必要である。網の孔径は、３ｍｍ以下であればよく、１．５〜２．０ｍｍ（目開きで２０ｍｅｓｈ程度）が好ましい。
【００２５】
孔径が小さいと昆虫類の侵入防止には効果があるが、通気性、通水性に問題を生じ、また網を構成する材料の径が細くなりすぎて、網の耐久性に問題を生じる。逆に孔径が３ｍｍより大きくなると昆虫類の侵入が容易となり好ましくない。
【００２６】
緊縛部材５は、紫外線、雨、風などに強く、一度締めたら緩みにくい材料で構成される。例えば合成樹脂製の結束バンドや紐、天然繊維例えば木綿や獣毛からなる紐、ゴム製のリング、金属製の結束バンド、皮革製のベルトなどが好適である。
【００２７】
図３の通り、防虫網１を配管６の開放端に被せ、緊縛部材５で開口部３の縁部を締め付けて防虫網１を配管６に固定する。配管６の端部外周は凸部６ａとなっている。これにより、防虫網１が配管６に堅固に緊縛され、配管６から外れることが防止される。なお、Ｋは傘、Ｓは支持棒、Ｎはネットである。
【００２８】
防虫網１は、変形加工可能な材料で作製され、緊縛部材５を備えていることから、通気管や通水管の径が様々であっても取付け可能である。
【符号の説明】
【００２９】
１  防虫網
２  防虫網本体
３  開口部
４  挿通部
５  緊縛部材
６  配管
【図１】
0003222592.tif 000003
【図２】
0003222592.tif 000004
【図３】
0003222592.tif 000005